(57)【要約】  本発明は、カメラ誘導デバイス（１）に関し、より詳細には、カメラ保持台（３）から離れて突出する少なくとも１つの水平要素（４）と、該水平要素から上に突出する少なくとも１つの垂直要素（５）とを有する、上に固定することができるカメラを支持するためのカメラ保持台（３）と、直接または別の水平要素（７）を介して垂直要素（５）に接続されるカメラ誘導デバイスを誘導するためのハンドル（６）とを備える、カムコーダ（２）またはデジタルカメラに関する。【選択図】なし
2009545759.tif 000002
【特許請求の範囲】
【請求項１】
特にカムコーダ（２）またはデジタルカメラ用のカメラ誘導デバイス（１）であって、  カメラ保持台（３）から離れて突出する少なくとも１つの水平要素（４）と、前記水平要素から上に突出する少なくとも１つの垂直要素（５）とを有する、上に固定することができるカメラを支持するための前記カメラ保持台（３）と、
直接または別の水平要素（７）を介して前記垂直要素（５）に接続される、前記カメラ誘導デバイスを誘導するためのハンドル（６）とを備える、カメラ誘導デバイス。
【請求項２】
カメラ上の対応する対応部分と協働するための固定手段（３１）、またはこのような手段のための係合部が、前記カメラ保持台（３）にまたはその上で、固定位置（Ｂ）に設けられることを特徴とする、請求項１に記載のカメラ誘導デバイス。
【請求項３】
前記ハンドル（６）が、前記固定手段（３１）の前記固定位置（Ｂ）の上に配置されることを特徴とする、請求項２に記載のカメラ誘導デバイス。
【請求項４】
前記ハンドル（６）が、前記カメラ保持台（３）にほぼ平行に延びることを特徴とする、請求項１から３のいずれか１項に記載のカメラ誘導デバイス。
【請求項５】
前記ハンドル（６）が、前記固定手段（３１）の前記固定位置（Ｂ）上の中心に配置されることを特徴とする、請求項２〜４のいずれか１項に記載のカメラ誘導デバイス。
【請求項６】
そこからそれぞれ垂直要素（５１、５２）が上に突出し、前記カメラ保持台（３）から離れるように対向して突出する２つの水平要素（４１、４２）が設けられ、両垂直要素（５１、５２）を互いに接続する別の水平要素（７）が設けられ、前記ハンドル（６）が、前記水平要素（７）上の中心に設けられることを特徴とする、前記請求項のいずれか１項に記載のカメラ誘導デバイス。
【請求項７】
前記固定手段（３１）が、前記カメラの重力中心内、または下に配置されることを特徴とする、前記請求項のいずれか１項に記載のカメラ誘導デバイス。
【請求項８】
前記カメラ誘導デバイスを保持するための前記垂直要素（５）が、凹状の把持部または弾性カバーによって形成されることを特徴とする、前記請求項のいずれか１項に記載のカメラ誘導デバイス。
【請求項９】
前記別の水平要素（７）上に、少なくとも１つの機器取付け台、詳細にはフラッシュソケットが設けられることを特徴とする、前記請求項のいずれか１項に記載のカメラ誘導デバイス。
【請求項１０】
詳細には、保持されるべきカメラに適合された前記カメラ保持台の下側に、三脚と協働するための三脚固定手段、またはこのような手段のための係合部が設けられることを特徴とする、前記請求項のいずれか１項に記載のカメラ誘導デバイス。
【請求項１１】
前記水平要素（４、４１、４２）、前記垂直要素（５、５１、５２）、および前記別の水平要素（７）が、前記カメラ保持台（３）上に設置されたカメラの周囲にフレームを形成することを特徴とする、前記請求項のいずれか１項に記載のカメラ誘導デバイス。
【請求項１２】
その上を移動可能であり、その上に固定することができるように、前記カメラ保持台（３）が前記水平要素（４）上に設置されることを特徴とする、前記請求項のいずれか１項に記載のカメラ誘導デバイス。
【請求項１３】
前記垂直要素（５）に接続された水平ハンドル（８）が設けられ、前記水平ハンドル（８）が、前記カメラ保持台にほぼ垂直に延びることを特徴とする、前記請求項のいずれか１項に記載のカメラ誘導デバイス。
【請求項１４】
前記水平ハンドル（８）が、固定することができる接合部（８１）を利用して、前記カメラ保持台（３）がこれに対してほぼ垂直に延びる１つの面内で旋回可能であることを特徴とする請求項１３に記載のカメラ誘導デバイス。
【請求項１５】
前記固定手段（３１）が、前記カメラ保持台（３）に沿って、詳細にはその上に形成された細長い穴の中で移動可能に誘導され、特に、前記固定手段が、前記カメラ上の対応する対応部分と協働する際、前記細長い穴（３２）の中の所定の位置にこれを固定することを特徴とする請求項２から１４のいずれか１項に記載のカメラ誘導デバイス。
【請求項１６】
前記カメラ保持台（３）、または前記水平要素（４）の前記カメラから離れるように向く側に固定することができる、取り外し可能ピストルハンドル（９）が設けられることを特徴とする、前記請求項のいずれか１項に記載のカメラ誘導デバイス。
【請求項１７】
その上に特に照明デバイスを固定することができる付属品ソケット（７１）が、水平要素（７）上に設けられることを特徴とする、前記請求項のいずれか１項に記載のカメラ誘導デバイス。
【発明の詳細な説明】
【技術分野】
【０００１】
本発明は、カメラ誘導デバイスに関し、より詳細には、カメラ保持台から離れて突出する少なくとも１つの水平要素と、該水平要素から上に突出する少なくとも１つの垂直要素とを有する、上に固定することができるカメラを支持するためのカメラ保持台と、カメラ誘導デバイスを誘導するためのハンドルとを備え、ハンドルが、直接または別の水平要素を介して垂直要素に接続されるカムコーダまたはデジタルカメラに関する。
【背景技術】
【０００２】
現代のカメラは、小型化、および可能な限り軽量の材料を使用する趨勢をたどる。これは特に、対象に集中して振動させずにカメラを誘導するように把持するまたは扱うには、もはや筐体上にほとんど空間がないことが予想されることから、それらは、もはや３次元的に容易に誘導することができないほど小型で軽量となりつつある、いわゆるカムコーダまたはデジタルカメラにつながる。
【発明の概要】
【０００３】
本発明の目的は、特にカムコーダまたはデジタルカメラの改良されたカメラの取り扱いを可能にするカメラ誘導デバイスを利用可能にすることである。
【０００４】
この問題は、請求項１の特徴によるカメラ誘導デバイスによって解決される。
【０００５】
本発明によると、カメラ誘導デバイスは特に、カメラ保持台から離れて突出する少なくとも１つの水平要素と、該水平要素から上に突出する少なくとも１つの垂直要素とを有する、上に固定することができるカメラを支持するためのカメラ保持台と、カメラ誘導デバイスを誘導するためのハンドルとを備え、ハンドルが、直接または別の水平要素を介して垂直要素に接続される、詳細には、カムコーダまたはデジタルカメラのために提供される。
【０００６】
ハンドルによるカメラ保持台上に設置されたカメラの動きは、振動せずにダイナミックな動作が可能であり、避けるべきカメラのボタンを誤って押すことによるぶれの心配がない。カメラ誘導デバイスは、さらに、様々な調整位置を可能にする水平および垂直要素上で固定式に保持されてよい。
【０００７】
本発明の特に好ましい開発によると、カメラ上の対応する対応部分と協働するための固定手段、またはこのような手段のための係合部が、カメラ保持台にまたはその上で、固定位置に設置される準備がなされる。これにより、カメラ保持台上での確実に元に戻すことのできるカメラの設置が可能である。
【０００８】
好ましくは、ハンドルは、カメラ保持台上の固定手段の固定位置の上に配置される。
【０００９】
本発明の別の好ましい開発によると、ハンドルは、特に平坦であるように構築された
カメラ保持台にほぼ平行に延びる。
【００１０】
本発明の別の開発によると、ハンドルが、カメラ保持台上の固定手段の固定位置上で、中心に配置される準備がなされる。これにより、カメラは、ハンドルのすぐ下の重力中心内に最適に配置され、これにより確実な誘導が可能になる。
【００１１】
有利には、そこからそれぞれ垂直要素が上に突出する２つの水平要素が設けられ、カメラ保持台から離れるように対向して突出し、両垂直要素を互いに接続する別の水平要素が設けられ、水平要素上の中心にハンドルが設けられる。
【００１２】
有利には、固定手段は、カメラの重力中心内、またはそれを受けて配置される。
【００１３】
カメラ誘導デバイスを保持するための垂直要素は、有利には、凹状の把持部または弾性カバーによって形成される。
【００１４】
好ましくは、少なくとも１つの機器取付け台、詳細にはフラッシュソケットが、別の水平要素上に設けられる。
【００１５】
本発明の別の好ましい開発によると、詳細にはカメラ保持台の下側に、三脚と協働するための三脚固定手段またはこのような固定手段のための係合部が設けられる。
【００１６】
カメラを保護するために、および可能な限り多く把持することができるように、有利には、水平要素、垂直要素、および別の水平要素が、カメラ保持台上に設置されたカメラの周囲のフレームを形成する準備がなされる。
【００１７】
有利には、設置されるカメラの多様な形状および／または重力中心に適合するために、カメラ保持台に沿って移動可能であり、その上に固定することができるように、カメラ保持台を水平要素上に設置する準備がなされる。これに従って、脱着式固定具と協働する細長い穴が形成されてよい。
【００１８】
本発明の特に好ましい別の開発によると、垂直要素に接続された水平ハンドルが設けられ、水平ハンドルは、カメラ保持台にほぼ垂直に延びる。
【００１９】
有利には、水平ハンドルは、固定することができる接合部を利用して、カメラ保持台がこれに対してほぼ垂直に延びる１つの面内で旋回可能である。
【００２０】
本発明の別の開発によると、固定手段は、カメラ保持台に沿って、詳細にはその上に形成された細長い穴の中で移動可能に誘導され、詳細には、固定手段が、カメラ上の対応する対応部分と協働する際、細長い穴の中の所定位置にこれを固定する。
【００２１】
本発明の別の有利な開発によると、取り外し可能ピストルハンドルが設けられ、これはカメラ保持台または水平要素のカメラから離れるように向く側に固定することができる。  有利には、付属品ソケットが水平要素上に設けられ、その上に照明デバイスを固定することができる。照明デバイスは、本発明の認識において、ここでは、カメラまたはカムコーダ用の付属品として使用することができる全ての種類の機器を備える。
【００２２】
本発明は、図面の助けを借りて以下にさらに記載される。詳細には、以下に概略的図面を以下に示す。
【図面の簡単な説明】
【００２３】
【図１】斜め上から見た、本発明によるカメラ誘導デバイスの上面概略図である。
【図２】図１のカメラ誘導デバイスを正面から見た概略図である。
【図３】図１のカメラ誘導デバイスの側面概略図である。
【図４】図１のカメラ誘導デバイスを上から見た概略図である。
【図５】ビデオカメラが中に搭載された、図１の発明によるカメラ誘導デバイスを斜め上から見た上面概略図である。
【図６】図５のカメラ誘導デバイスを正面から見た概略図である。
【図７】図５のカメラ誘導デバイスの側面概略図である。
【図８】図５のカメラ誘導デバイスを上から見た概略図である。
【図９】ビデオカメラが中に搭載された、本発明によるカメラ誘導デバイスの修正形態を斜め上からみた上面概略図である。
【図１０】図９のカメラ誘導デバイスの側面概略図である。
【図１１】図９のカメラ誘導デバイスを正面から見た概略図である。
【図１２】補助水平ハンドルを備えたカメラ誘導デバイスの別の実施形態を正面から見た概略図である。
【図１３】折り畳まれた水平ハンドルを備えた図１２のカメラ誘導デバイスの概略図である。
【図１４】図１２のカメラ誘導デバイスを斜め上から見た概略図である。
【図１５】ビデオカメラおよびピストルハンドルが上に設置された、図１２のカメラ誘導デバイスの後方からの上部概略図である。
【図１６】図１５のカメラ誘導デバイスを正面から見た上部概略図である。
【発明を実施するための形態】
【００２４】
図中の同一の参照番号は、同一または全く同様に作用する要素を示す。
【００２５】
図１は、本発明によるカメラ誘導デバイス１の概略図を示す。上に固定することができるカメラを支持するために設けられたカメラ保持台３上の固定位置Ｂでの固定手段３１としての標準ねじによって、カメラ誘導デバイスは、現在の全てのカムコーダまたはデジタルカメラ、および旧式のフィルムカメラも受けることができる。カメラ上のねじ山と協働するねじを緩めたり締めたりするために、刻み目付き車輪３１ａが設けられる。
【００２６】
２つの水平要素４（４１および４２）が、カメラ保持台３から対向して離れるように突出する。これらの端部にそれぞれ、そこから上に突出する垂直要素５（５１および５２）が設けられ、この垂直要素が、固定手段３１の固定位置Ｂの上で中心に配置されるハンドルが上に配置される別の水平要素７を担持する。ハンドル６はここでは、カメラ保持台３にほぼ平行に延びる。
【００２７】
垂直要素５は、凹状の把持部または弾性カバーを備え、カメラ誘導デバイス１を保持するために設けることができる。
【００２８】
図２から４は、前面から、側面からおよび上から見たカメラ誘導デバイスを示す。
【００２９】
図５から８において、様々な方向から見た、カメラ誘導デバイス１内のカメラ保持台３上に設置されたカムコーダ２が示される。
【００３０】
カメラ誘導デバイス１上に、詳細には別の水平要素７の上に、１つまたは複数のいわゆるフラッシュソケットが設置されてよい。
【００３１】
また、カメラ上に取り外し可能スクリーンが存在する場合、それを確実にもっとよく見えるようにする目的で、これを、カメラ誘導デバイス上に設置された固定手段上に固定することができる点が有利である。
【００３２】
図９において、１つの垂直要素５のみが存在するカメラ誘導デバイス１の変形体が示される。
【００３３】
カメラ誘導デバイスが最適な方法で手の中に位置することを可能にする目的で、この変形体、または２つの垂直要素を備える変形体の重力中心のバランスを取るために、様々な重りを設ける準備がなされてよい。
【００３４】
図１０は、図９のカメラ誘導デバイスの変形体の側面図を示し、最後に図１１は、前方から見た図を示す。
【００３５】
図１２は、補助水平ハンドル８を備えたカメラ誘導デバイス１が示される、本発明の別の実施形態を示す。
【００３６】
また付加的に、例えば、補助照明デバイスとしてフラッシュを上に固定することができる付属品ソケット７１が、水平要素７の上に設けられる。付属品ソケットは、特定のベースおよび／または脚部を利用して、外部フラッシュ機器、ランプ、ファインダ、水分平衡装置などの付属品を上に装着することができるデバイスとして理解すべきである。
【００３７】
水平ハンドル８は、垂直要素５に接続されて設けられ、カメラ保持台３にほぼ垂直に延びる。
【００３８】
水平ハンドル８は、最適な調整のために旋回可能であるように構築され、このために、固定することができる接合部８１を利用して、ハンドル８は、垂直要素５２に接続される。示される実施例において、水平ハンドルは、カメラ保持台３がこれに対してほぼ垂直に延びる面内で旋回可能であり、この点に関して、図１３も参照すると、水平ハンドルは、接合部８１をロックする止めねじ８２を利用して、別の位置に固定される。
【００３９】
図１４は、斜め上から斜視的に見た図１２および１３の実施形態を示す。この位置において、本実施形態の別の特徴を見ることができ、この特徴により、カメラ保持台３は、水平要素４に沿って移動可能でありその上に固定することができるように、水平要素４の上に設置される。このために、止めねじを備えた細長い穴が設けられる。
【００４０】
図１５および１６は、カムコーダ２が上に設置された、前方から見た（図１５）および後方から見た（図１６）図１２から１４の実施形態を示す。
【００４１】
設置された取り外し可能ピストルハンドル９がここに示され、これは、カメラ保持台３のカメラから離れるように向く側に固定される。これにより、別の把持の可能性により、さらに改良された取り扱いが実現する。
【符号の説明】
【００４２】
１  カメラ誘導デバイス
２  カムコーダ
３  カメラ保持台
３１  固定手段
３１ａ  刻み目付き車輪
３２  細長い穴
４  水平要素
４１  水平要素        
４２  水平要素
５  垂直要素        
５１  垂直要素
５２  垂直要素
６  ハンドル
７  水平要素
７１  付属品ソケット    
８  水平ハンドル
８１  接合部
８２  止めねじ
９  ピストルハンドル
【図１】
2009545759.tif 000003
【図２】
2009545759.tif 000004
【図３】
2009545759.tif 000005
【図４】
2009545759.tif 000006
【図５】
2009545759.tif 000007
【図６】
2009545759.tif 000008
【図７】
2009545759.tif 000009
【図８】
2009545759.tif 000010
【図９】
2009545759.tif 000011
【図１０】
2009545759.tif 000012
【図１１】
2009545759.tif 000013
【図１２】
2009545759.tif 000014
【図１３】
2009545759.tif 000015
【図１４】
2009545759.tif 000016
【図１５】
2009545759.tif 000017
【図１６】
2009545759.tif 000018
【国際調査報告】
2009545759.tif 000019
2009545759.tif 000020
2009545759.tif 000021
2009545759.tif 000022
2009545759.tif 000023
2009545759.tif 000024